(57)【要約】      （修正有）【課題】多機能で、収納も簡単なレジャー/スポーツ用多機能イスを提供する。【解決手段】可動接続フレームにより組成し、角度を調整可能な和式座椅子体で、座椅子バックレスト１６側面には嵌合台１８を固定して設置し、ハンドル３１を備える弾性引き紐３を係合して結合し、座椅子座面１２前縁には槽孔を形成し、槽孔中には、ベルト具により棒状の足掛け棒２を連接する。手足を掛け、力を入れて嵌合台１８に係合して結合する弾性引き紐３を引き伸ばし、身体をひねりストレッチすることで、手足のひねり、ストレッチに用いる運動器具とすることができ、足掛け棒２とベルト具を槽孔から取り出せば、使用者は足掛け棒２に大腿部を掛け、座椅子バックレスト１６を適当な角度に調整し、仰向けに横たわる方式で、腹筋トレーニング運動の補助器具として使用することができ、その際、座椅子バックレスト１６の角度を調整することで、その人、或いは疲労の度合いなど体力に応じた使用を提供することができる。【選択図】図９
0003153277.tif 000002
【実用新案登録請求の範囲】
【請求項１】
座椅子と弾性引き紐を組み合わせて構成し、
前記座椅子は、可動接続フレームにより組成し、角度を調整可能な和式座椅子体で、座椅子バックレスト側面には嵌合台を固定して設置し、前記嵌合台にハンドルを備える弾性引き紐を係合して結合することを特徴とするレジャー/スポーツ用多機能イス。
【請求項２】
請求項１記載のレジャー/スポーツ用多機能イスにおいて、前記座椅子の座椅子座面前縁には槽孔を形成し、前記槽孔中には、ベルト具により棒状の足掛け棒を連接し、蓋板で覆い蓋をすることができることを特徴とするレジャー/スポーツ用多機能イス。
【請求項３】
請求項１記載のレジャー/スポーツ用多機能イスにおいて、前記座椅子上には、別に収納槽を設置し、これにより弾性引き紐を収納することができることを特徴とするレジャー/スポーツ用多機能イス。
【請求項４】
請求項１記載のレジャー/スポーツ用多機能イスにおいて、前記弾性引き紐は長さの調整が可能で、また引力強度を改変することもできることを特徴とするレジャー/スポーツ用多機能イス。
【考案の詳細な説明】
【技術分野】
【０００１】
本考案はレジャー/スポーツ用多機能イスに関し、特に家庭内の狭小な空間に運動器具を置くことによって空間を大きく占拠してしまうという欠点に対して改良を加え、可動接続フレームにより組成し、角度を調整可能な和式座椅子体で、座椅子バックレスト側面には嵌合台を固定して設置し、ハンドルを備える弾性引き紐を係合して結合し、座椅子座面前縁には槽孔を形成し、槽孔中には、ベルト具により棒状の足掛け棒を連接し、足掛け棒を使用しない時には、槽孔内に嵌めて収納し、足掛け棒とベルト具を座椅子座面の槽孔内に嵌めて収納することで、和式座椅子として使用することができ、手足を掛け、力を入れて嵌合台に係合して結合する弾性引き紐を引き伸ばし、身体をひねりストレッチすることで、手足のひねり、ストレッチに用いる運動器具とすることができ、足掛け棒とベルト具を槽孔から取り出せば、使用者は足掛け棒に大腿部を掛け、座椅子バックレストを適当な角度に調整し、仰向けに横たわる方式で、腹筋トレーニング運動の補助器具として使用することができ、その際、座椅子バックレストの角度を調整することで、その人、或いは疲労の度合いなど体力に応じた使用を提供することができ、フレキシブルな使用及び多機能と収納の便をも実現することができるレジャー/スポーツ用多機能イスに関する。
【背景技術】
【０００２】
食生活の乱れ、運動場所と運動量の不足、人々の健康に対する意識の高まりに従い、運動器具へのニーズも高まっている。しかし、現行の運動器具は高価で、さもなければ大型で、かなりの重量があるため、室内空間が大きくない一般の家庭では収納が困難で、その結果、室内が狭苦しくなってしまう。
さらに、各家族構成員の年齢、身体能力、肥満の度合いなどはそれぞれ異なり、しかも長期間の使用後に、様々な人の使用に適用させ、使用への興味を維持させるため、迅速かつ簡単に調整できようにすることが求められている。
【考案の概要】
【考案が解決しようとする課題】
【０００３】
本考案の主要な目的は、可動接続フレームにより組成し、角度を調整可能な和式座椅子体で、座椅子バックレスト側面には嵌合台を固定して設置し、ハンドルを備える弾性引き紐を係合して結合し、手足を掛け、力を入れて嵌合台に係合して結合する弾性引き紐を引き伸ばし、身体をひねりストレッチすることで、手足のひねり、ストレッチに用いる運動器具とすることができ、イスとしての使用性能の他に、運動具としての機能をも発揮することができるレジャー/スポーツ用多機能イスを提供することである。
【０００４】
本考案の次の目的は、座椅子座面前縁には別に槽孔を形成し、槽孔中には、ベルト具により棒状の足掛け棒を連接し、足掛け棒を使用しない時には、槽孔内に嵌めて収納し、足掛け棒とベルト具を槽孔から取り出せば、使用者は足掛け棒に大腿部を掛け、座椅子バックレストを適当な角度に調整し、仰向けに横たわる方式で、腹筋トレーニング運動の補助器具として使用することができ、その際、座椅子バックレストの角度を調整することで、その人、或いは疲労の度合いなど体力に応じた使用を提供することができ、フレキシブルな使用を実現することができるレジャー/スポーツ用多機能イスを提供することである。
【課題を解決するための手段】
【０００５】
請求項１の考案は、座椅子と弾性引き紐を組み合わせて構成し、
前記座椅子は、可動接続フレームにより組成し、角度を調整可能な和式座椅子体で、座椅子バックレスト側面には嵌合台を固定して設置し、前記嵌合台にハンドルを備える弾性引き紐を係合して結合することを特徴とするレジャー/スポーツ用多機能イスとしている。
請求項２の考案は、請求項１記載のレジャー/スポーツ用多機能イスにおいて、前記座椅子の座椅子座面前縁には槽孔を形成し、前記槽孔中には、ベルト具により棒状の足掛け棒を連接し、蓋板で覆い蓋をすることができることを特徴とするレジャー/スポーツ用多機能イスとしている。
請求項３の考案は、請求項１記載のレジャー/スポーツ用多機能イスにおいて、前記座椅子上には、別に収納槽を設置し、これにより弾性引き紐を収納することができることを特徴とするレジャー/スポーツ用多機能イスとしている。
請求項４の考案は、請求項１記載のレジャー/スポーツ用多機能イスにおいて、前記弾性引き紐は長さの調整が可能で、また引力強度を改変することもできることを特徴とするレジャー/スポーツ用多機能イスとしている。
【考案の効果】
【０００６】
本考案は、フレキシブルな使用及び多機能を達成し、収納の便をも実現することができる。
【図面の簡単な説明】
【０００７】
【図１】本考案第一実施例の立体図である。
【図２】本考案第二実施例の立体概略図である。
【図３】本考案第三実施例の立体図である。
【図４】本考案第四実施例の立体図である。
【図５】本考案を折り畳んだ様子を示す立体図である。
【図６】本考案使用実施例の立体概略図である。
【図７】本考案使用実施例の立体概略図である。
【図８】本考案使用実施例の立体概略図である。
【図９】本考案使用実施例の立体概略図である。
【図１０】本考案使用実施例の立体概略図である。
【図１１】本考案使用実施例の立体概略図である。
【図１２】本考案使用実施例の立体概略図である。
【図１３】本考案使用実施例の立体概略図である。
【考案を実施するための形態】
【０００８】
図１〜５に示すように、本考案は、座椅子１、足掛け棒２、弾性引き紐３を組み合わせて構成する。
座椅子１は、可動接続フレームにより組成し、角度を調整可能な和式座椅子体で、座椅子バックレスト１６側面には嵌合台１８を固定して設置する。
嵌合台１８にハンドル３１を備える弾性引き紐３を係合して結合する。
弾性引き紐３は交換及び長さの調整が可能で、また引力強度を改変することもできる。
座椅子座面１２前縁には槽孔１３を形成し、槽孔１３中には、ベルト具１４により棒状の足掛け棒２を連接する。
足掛け棒２を使用しない時には、槽孔１３内に嵌めて収納し、蓋板１７で覆い蓋をすることができる。
必要時には、弾性引き紐３も槽孔１３中に収納し、或いは座椅子１上（正面、背面、或いは側面）に蓋板１７を備える収納槽１５を設置し、これにより弾性引き紐３の遺失を回避することができる。
【０００９】
実際の使用時には、足掛け棒２と弾性引き紐３を座椅子座面１２の槽孔１３或いは収納槽１５内に嵌めて収納すれば、和式座椅子１として使用することができる。
弾性引き紐３を取り出せば、座椅子１の座椅子座面１２或いは座椅子バックレスト１６により使用者は腰掛け、さらに弾性引き紐３を交換し、或いは長さを調整し、引力強度を改変して、嵌合台１８に係合して結合する弾性引き紐３のハンドル３１を手で握り、或いは足を掛け、力を入れて弾性引き紐３を引き伸ばし、身体をひねりストレッチすることで、手足のひねり、ストレッチに用いる運動器具とすることができる（図６、７、１０、１１参照）。
【００１０】
また、足掛け棒２とベルト具１４を、槽孔１３から取り出せば、使用者は足掛け棒２に大腿部を掛け、座椅子バックレスト１６を適当な角度に調整し、仰向けに横たわる方式で、腹筋トレーニング運動の補助器具として使用することができる（図８、９、１２、１３参照）。
その際、座椅子バックレスト１６の角度を調整することで、その人、或いは疲労の度合いなど体力に応じた使用を提供することができる。
【００１１】
使用しない時には折畳み、図５に示すように矩形とすることができるため、収納に便利である。
こうして、フレキシブルな使用及び多機能を達成し、さらに収納の便をも実現することができる。
【００１２】
上記は、本考案の最適実施例に過ぎず、本考案を限定するものではない。本考案の精神に基づく等価応用或いは部品（構造）の転換、置換、数量の増減はすべて、本考案の保護範囲に含むものとする。
【産業上の利用可能性】
【００１３】
本考案の構造と装置は、市場及び刊行物上で未見のもので、多くの機能と効果を備える他に、フレキシブルな使用と収納の機能をも備えるため、実用新案の要件である新規性を備え、進歩を有し、実用性が高く、産業上の利用価値は非常に高い。
【符号の説明】
【００１４】
１  座椅子
２  足掛け棒
３  弾性引き紐
１２  座椅子座面
１３  槽孔
１４  ベルト具
１５  収納槽
１６  座椅子バックレスト
１７  蓋板
１８  嵌合台
３１  ハンドル
【図１】
0003153277.tif 000003
【図２】
0003153277.tif 000004
【図３】
0003153277.tif 000005
【図４】
0003153277.tif 000006
【図５】
0003153277.tif 000007
【図６】
0003153277.tif 000008
【図７】
0003153277.tif 000009
【図８】
0003153277.tif 000010
【図９】
0003153277.tif 000011
【図１０】
0003153277.tif 000012
【図１１】
0003153277.tif 000013
【図１２】
0003153277.tif 000014
【図１３】
0003153277.tif 000015